(57)【要約】【課題】水道蛇口の着脱を迅速に行うことができるクイック着脱式水道蛇口構造を提供する。【解決手段】クイック着脱式水道蛇口構造は、本体１０、位置決め部材２５及び水道蛇口３０を備える。本体１０は進水管体１１及び穿孔１２を有する。進水管体１１と穿孔１２との間には連通した流路１３が形成される。本体１０には流路１３と連通する調節チャネル１４が形成される。調節チャネル１４には調節部材１５が挿設される。本体１０の外縁には収容槽１６が形成される。収容槽１６の底部には穿孔１２に連通した透孔１６１が形成される。位置決め部材２５はドローバー２１を有する。ドローバー２１は拡張形成された位置決めフランジ２２を有する。位置決めフランジ２２の底部には係合部３３が延設される。本体１０の収容槽１６内には弾性部材２４が挿設され、ドローバー２１底部の係合部２３が透孔１６１内に挿入される。【選択図】図２
0003192082.tif 000002
【実用新案登録請求の範囲】
【請求項１】
本体、位置決め部材及び水道蛇口を備えるクイック着脱式水道蛇口構造であって、
本体は、進水管体及び穿孔を有し、進水管体と穿孔との間には連通した流路が形成され、本体には、流路と連通する調節チャネルが形成され、調節チャネルには、調節部材が挿設され、本体の外縁には、収容槽が形成され、収容槽の底部には、穿孔に連通した透孔が形成され、
位置決め部材はドローバーを有し、ドローバーは、拡張形成された位置決めフランジを有し、位置決めフランジの底部には、係合部が延設され、本体の収容槽内には、弾性部材が挿設され、ドローバー底部の係合部が透孔内に挿入され、位置決め部材をドローバーへ嵌合させて収容槽の上端口に固定させると、収容槽内に弾性部材が位置拘束されて位置決めフランジと位置決め部材との間に位置決めされ、
水道蛇口の一側には、本体の穿孔内に挿設される管部が延設され、管部は、軸方向で入水流路に挿設され、管部の端面には、透孔に対応する係合孔が形成されていることを特徴とするクイック着脱式水道蛇口構造。
【請求項２】
前記調節部材は、調節チャネルに螺着され、調節部材が流路内に完全に螺入されると係止状態となり、調節部材の上端部には、防水ワッシャが嵌合されていることを特徴とする請求項１に記載のクイック着脱式水道蛇口構造。
【請求項３】
前記本体の穿孔と水道蛇口の管部との間には、止水リングが配設されることを特徴とする請求項１に記載のクイック着脱式水道蛇口構造。
【請求項４】
前記水道蛇口の入水流路は、偏心方式で管部に形成され、管部の一側管壁が厚く、管部の管壁の厚目の端面には係合孔が形成されていることを特徴とする請求項１に記載のクイック着脱式水道蛇口構造。
【請求項５】
前記水道蛇口は直立式水道蛇口であることを特徴とする請求項１に記載のクイック着脱式水道蛇口構造。
【考案の詳細な説明】
【技術分野】
【０００１】
本考案は、水道蛇口構造に関し、特に、クイック着脱式水道蛇口構造に関する。
【背景技術】
【０００２】
従来の水道蛇口は、水源端の接続端に取り付ける螺合部を有し、水道蛇口を取り付ける際、この螺合部を利用して水源端の接続端に螺着する。しかし水道蛇口の取り付けには、手の力だけでは十分でなく、ハンドツールを使用する必要があったため、水道蛇口の組立ては煩雑で短時間に取り付けることができない上、取り外す際にも工具が必要であったため着脱に多くの時間がかかって実用的でなかった。
【０００３】
そのため水道蛇口を取り付ける際、螺合部を利用して水源端の接続端に螺着する際、手の力だけでは十分でなく、ハンドツールを使用する必要があったため、水道蛇口の組立ては煩雑で短時間に取り付けることができない上、取り外す際にも工具が必要であったため着脱に多くの時間がかかって実用的でなかった従来技術の問題点を解決する技術が求められていた。
【考案の概要】
【考案が解決しようとする課題】
【０００４】
本考案の第１の目的は、本体の穿孔に挿設した管部を固定する位置決め部材を有し、この位置決め部材は、弾性部材が有する付勢力によりドローバーを当接させて位置決め状態を形成し、着脱を迅速に行って水道蛇口を容易に組み合わせて使用することができるクイック着脱式水道蛇口構造を提供することにある。
本考案の第２の目的は、本体の進水管体及び穿孔が互いに連通して流路に接続され、本体の外側には、対応した流路が連通されて調節チャネルが形成されて調節部材が螺設され、水道蛇口を交換して組み立てる際、直接、調節チャネルを介して調節部材を流路内へ螺入して水流を遮断することにより、水道蛇口を交換する際に水が噴出して不用意に漏れることを防ぎ、水道蛇口を容易に交換したり迅速に組立てたりすることができるクイック着脱式水道蛇口構造を提供することにある。
本考案の第３の目的は、水道蛇口の管部に入水流路が偏心方式で形成され、厚さが大き目の管壁側と、係合孔とが管部に形成され、係合孔の深さ及び管部の構造強度をそれぞれ高め、ドローバーの係合・位置決めの安定度を高めるとともに、管部の入水流路・係合孔間の厚さを大きくすることにより、大きな水圧により入水流路と係合孔との間で水漏れが起きることを防ぎ、使用寿命を延ばして実用性を高めるクイック着脱式水道蛇口構造を提供することにある。
【図面の簡単な説明】
【０００５】
【図１】本考案の一実施形態に係るクイック着脱式水道蛇口構造を示す斜視図である。
【図２】本考案の一実施形態に係るクイック着脱式水道蛇口構造を示す分解斜視図である。
【図３】本考案の一実施形態に係るクイック着脱式水道蛇口構造を示す断面図である。
【図４】本考案の一実施形態に係るクイック着脱式水道蛇口構造の防水ワッシャを管部へ嵌合させる状態を示す部分断面図である。
【図５】本考案の一実施形態に係るクイック着脱式水道蛇口構造を本体から取り外すときの状態を示す部分断面図である。
【図６】本考案の一実施形態に係るクイック着脱式水道蛇口構造の水道蛇口出水端であるクイック継手を水管に接続するときの状態を示す分解斜視図である。
【図７】本考案の一実施形態に係る水道蛇口の栓式水道蛇口を示す分解斜視図である。
【図８】本考案の一実施形態に係る水道蛇口に出水管を取り付けたときの状態を示す斜視図である。
【図９】本考案の一実施形態に係る直立式水道蛇口を示す分解斜視図である。
【考案を実施するための形態】
【０００６】
図１〜図３を参照する。図１〜図３に示すように、本考案の一実施形態に係るクイック着脱式水道蛇口構造は、少なくとも本体１０、位置決め部材２０及び水道蛇口３０から構成される。本体１０は、進水管体１１及び穿孔１２を有する。進水管体１１と穿孔１２との間には、流路１３が形成される。本体１０には、流路１３と連通する調節チャネル１４が形成されている。調節チャネル１４には、調節部材１５が挿設される。調節部材１５は、調節チャネル１４内に螺着され、調節部材１５が流路１３内に完全に螺入されると係止状態となり、上端部には防水ワッシャ１５１が嵌合されている。本体１０の外縁には、収容槽１６が形成されている。収容槽１６の底部には、穿孔１２に連通した透孔１６１が形成されている。位置決め部材２０はドローバー２１を有する。ドローバー２１は、拡張形成された位置決めフランジ２２を有する。位置決めフランジ２２の底部には、係合部２３が延設され、本体１０の収容槽１６内に弾性部材２４が挿設され、ドローバー２１底部の係合部２３が透孔１６１内に挿入され、位置決め部材２５をドローバー２１へ嵌合させて収容槽１６の上端口に固定させると、収容槽１６内に弾性部材２４が位置拘束され、位置決めフランジ２２と位置決め部材２５との間に位置決めされる。水道蛇口３０の一側には、本体１０の穿孔１２内に挿設される管部３１が延設され、穿孔１２と管部３１との間には防水リング１２１が配設されている。管部３１は、軸方向で入水流路３２に挿設され、管部３１の端面には、透孔１６１に対応する係合孔３３が形成されている。入水流路３２は、偏心方式で管部３１に形成されて管部３１の一側管壁が厚く形成されている。管部３１の管壁の厚目の端面には、係合孔３３が形成されている。
【０００７】
図２及び図３を参照する。図２及び図３に示すように、本実施形態の位置決め部材２０は、ドローバー２１の位置決めフランジ２２上に弾性部材２４が嵌合されて本体１０の収容槽１６内に挿設され、透孔１６１内に係合部２３が勢いよく入り込むと、ドローバー２１上に位置決め部材２５が嵌合されて収容槽１６の上端口に固設される。位置決めフランジ２２と位置決め部材２５との間に位置拘束された弾性部材２４は、付勢力により位置決めフランジ２２に当接され、ドローバー２１の係合部２３が穿孔１２内に延び、位置決めフランジ２２が収容槽１６底部に当接されると位置決めされ、ドローバー２１の上端部が本体１０から突出される。水道蛇口３０の管部３１が本体１０の穿孔１２に挿設されると、係合孔３３と透孔１６１とが連通する。防水リング１２１が穿孔１２の内径に組み入れられて管部３１上に嵌合されると（図４参照）、ドローバー２１の係合部２３が透孔１６１に挿通されて水道蛇口３０の係合孔３３に嵌合され、本体１０の穿孔１２内に水道蛇口３０の管部３１が固設されて水道蛇口３０と本体１０とが組み合わされてクイック着脱式水道蛇口構造が完成する。
【０００８】
図３及び図５を参照する。図３及び図５に示すように、本考案の一実施形態に係るクイック着脱式水道蛇口構造を実際に使用する場合、本体１０は、進水管体１１を利用して水源端に固設され、水流のオン・オフを制御する水道蛇口３０が水源端に取り付けられる。水道蛇口３０を本体１０の穿孔１２から取り外す場合、本体１０上の調節部材１５が流路１３内に完全に螺入されるまで、調節チャネル１４を回して内方へ螺着させ、進水管体１１と穿孔１２との間に係止して防水状態を形成した後、位置決め部材２０のドローバー２１を上方へ引っ張ると、ドローバー２１底部の係合部２３が水道蛇口３０の係合孔３３から外れ、本体１０の穿孔１２から水道蛇口３０の管部３１を引っ張って外すことができるため、水道蛇口３０を迅速かつ容易に着脱することができる。
【０００９】
水道蛇口３０の出水端は、クイック継手３４でもよく（図６参照）、水道蛇口３０は、クイック着脱継手４１を利用して水管４０と迅速に組み合わされ、水管４０と水道蛇口３０との間の組み付き強度を高めて水道蛇口３０から水管４０が外れることを防ぐ。
【００１０】
水道蛇口３０は、屋外で使用する栓式水道蛇口（図７参照）でもよく、この栓式水道蛇口には、悪意のある者が水を盗むことを防ぐために、蛇口ハンドルが取り付けられていない。この栓式水道蛇口の出水端をクイック継手にし、クイック着脱継手４１を利用して水管４０と迅速に組み合わせて水道蛇口３０を使用することができる。
【００１１】
水道蛇口３０の出水端には、出水管３５が取り付けられ（図８参照）、水道蛇口３０の出水端を正方向又は反対方向へ回転させるだけで出水管３５の向きを変えることができる。
【００１２】
水道蛇口３０は、直立式水道蛇口でもよく（図９参照）、本体１０の穿孔１２内に挿設される管部３１が底部に延設されている。
【００１３】
本考案のクイック着脱式水道蛇口構造は、以下（１）〜（３）の長所を有する。
（１）水道蛇口３０は、本体１０の穿孔１２に挿設した管部３１を固定する位置決め部材２０を有する。この位置決め部材２０は、弾性部材２４が有する付勢力によりドローバー２１を当接させて位置決め状態を形成し、着脱を迅速に行うことができるため、水道蛇口３０を容易に組み合わせて使用することができる。
（２）本体１０の進水管体１１及び穿孔１２が互いに連通して流路１３に接続され、本体１０の外側には、対応した流路１３が連通されて調節チャネル１４が形成されて調節部材１５が螺設され、水道蛇口を交換して組み立てる際、直接、調節チャネル１４を介して調節部材１５を流路１３内へ螺入して水流を遮断することにより、水道蛇口３０を交換する際に水が噴出して不用意に漏れることを防ぎ、水道蛇口３０を容易に交換したり迅速に組立てたりすることができる。
（３）水道蛇口３０の管部３１に入水流路３２が偏心方式で形成され、厚さが大き目の管壁側と、係合孔３３とが管部３１に形成され、係合孔３３の深さ及び管部３１の構造強度をそれぞれ高め、ドローバー２１の係合・位置決めの安定度を高めるとともに、管部３１の入水流路３２・係合孔３３間の厚さを大きくすることにより、大きな水圧により入水流路３２と係合孔３３との間で破裂して水漏れが起きることを防ぎ、使用寿命を延ばして実用性を高めることができる。
【符号の説明】
【００１４】
１０  本体
１１  進水管体
１２  穿孔
１３  流路
１４  調節チャネル
１５  調節部材
１６  収容槽
２０  位置決め部材
２１  ドローバー
２２  位置決めフランジ
２３  係合部
２４  弾性部材
２５  位置決め部材
３０  水道蛇口
３１  管部
３２  入水流路
３３  係合孔
３４  クイック継手
３５  出水管
４０  水管
４１  クイック着脱継手
１２１  防水リング
１５１  防水ワッシャ
１６１  透孔
【図１】
0003192082.tif 000003
【図２】
0003192082.tif 000004
【図３】
0003192082.tif 000005
【図４】
0003192082.tif 000006
【図５】
0003192082.tif 000007
【図６】
0003192082.tif 000008
【図７】
0003192082.tif 000009
【図８】
0003192082.tif 000010
【図９】
0003192082.tif 000011